(57)【特許請求の範囲】
【請求項１】
アノードガスおよびカソードガスを供給して発電を行う燃料電池と、前記アノードガスを供給するアノードガス供給手段と、前記アノードガスと前記燃料電池より排出されたアノードオフガスとを混合循環させるエゼクタが設けられたアノードガス循環経路と、前記アノードガス供給手段と前記アノードガス循環経路との間に設けられた遮断弁と、前記アノードガス循環経路から分岐されたアノードガス流通経路と、前記アノードガス流通経路に設けられたパージ弁と、を備えた燃料電池システムの起動方法において、
前記燃料電池の起動信号を検出する起動信号検出ステップと、
前記遮断弁を開弁する遮断弁第一開弁ステップと、
前記アノードガス循環経路内の圧力が、前記アノードガス循環経路内に残っている不純ガスを前記アノードガス流通経路に排出可能な圧力になった際に、前記遮断弁を閉弁してアノードガス供給中断制御を行うとともに、前記パージ弁を開弁して前記アノードガス循環経路内のガスを前記アノードガス流通経路に排出するガス排出ステップと、
前記パージ弁の開弁状態を所定時間保持した後に、前記パージ弁を閉弁するパージ弁閉弁ステップと、
前記パージ弁の閉弁後に前記遮断弁を開弁する遮断弁第二開弁ステップと、
前記燃料電池のセル電圧が所定値以上の場合に発電開始を許可する発電許可ステップと、を有することを特徴とする燃料電池システムの起動方法。
【請求項２】
前記パージ弁閉弁ステップでは、前記アノードガス循環経路内の圧力が大気圧以下となる前に前記パージ弁を閉弁することを特徴とする請求項１に記載の燃料電池システムの起動方法。
【請求項３】
前記遮断弁第一開弁ステップの前に、前記燃料電池のソーク時間を検出するソーク時間検出ステップを有し、
前記ソーク時間が所定時間より短い場合には、前記アノードガス供給中断制御を行わないことを特徴とする請求項１または２に記載の燃料電池システムの起動方法。
【請求項４】
前記遮断弁第一開弁ステップの前に、前記燃料電池がソーク状態の間に掃気を行ったか否かを検出する掃気経験検出ステップを有し、
前記掃気を行った場合には、前記アノードガス供給中断制御を行うことを特徴とする請求項１〜３の何れかに記載の燃料電池システムの起動方法。
【請求項５】
前記遮断弁第一開弁ステップの前に、前記燃料電池がソーク状態の間に掃気を行ったか否かを検出する掃気経験検出ステップを有し、
前記掃気を行っておらず、かつ、前記ソーク時間が所定時間より短い場合には前記アノードガス供給中断制御を行わないことを特徴とする請求項３に記載の燃料電池システムの起動方法。
【請求項６】
アノードガスおよびカソードガスを供給して発電を行う燃料電池と、
前記アノードガスを供給するアノードガス供給手段と、
前記アノードガスと前記燃料電池より排出されたアノードオフガスとを混合循環させるエゼクタが設けられたアノードガス循環経路と、
前記アノードガス供給手段と前記アノードガス循環経路との間に設けられた遮断弁と、
前記アノードガス循環経路から分岐されたアノードガス流通経路に設けられたパージ弁と、
前記遮断弁および前記パージ弁の開閉制御を行う制御部と、を備えた燃料電池システムにおいて、
前記制御部は、
前記燃料電池の起動時に、前記遮断弁を開弁し、
前記アノードガス循環経路内の圧力が、前記アノードガス循環経路内に残っている不純ガスを前記アノードガス流通経路に排出可能な圧力になった際に、前記遮断弁を閉弁してアノードガス供給中断制御を行うとともに、前記パージ弁を開弁して前記アノードガス循環経路内のガスを前記アノードガス流通経路に排出し、
前記パージ弁の開弁状態を所定時間保持した後に、前記パージ弁を閉弁し、
前記パージ弁の閉弁後に前記遮断弁を開弁し、
前記燃料電池のセル電圧が所定値以上の場合に発電開始を許可するように構成されていることを特徴とする燃料電池システム。
【発明の詳細な説明】
【技術分野】
【０００１】
本発明は、燃料電池システムの起動方法および燃料電池システムに関するものである。
【背景技術】
【０００２】
従来から、例えば車両に搭載される燃料電池には、固体高分子電解質膜をアノード電極およびカソード電極で両側から挟んで膜電極構造体（ＭＥＡ：Membrane Electrode Assembly）を形成し、この膜電極構造体の両側に一対のセパレータを配置して平板状の単位燃料電池（以下、単位セルという。）を構成し、この単位セルを複数積層して燃料電池スタック（以下、燃料電池という。）とするものが知られている。このような燃料電池では、アノード電極とセパレータとの間に燃料ガスとして水素ガスを供給するとともに、カソード電極とセパレータとの間に酸化剤ガスとして空気を供給する。これにより、アノード電極で触媒反応により発生した水素イオンが、固体高分子電解質膜を透過してカソード電極まで移動し、カソード電極で空気中の酸素と電気化学反応を起こし、発電が行われる。なお、この発電に伴って、燃料電池内部で水が生成される。
【０００３】
このような燃料電池を備える燃料電池システムでは、発電停止から長い時間が経過すると、カソード電極側から空気が固体高分子電解質膜を介してアノード電極側へ侵入することで、アノード電極側に発電に関与しないガス（主に窒素ガス）が滞留することがある。このような滞留ガスが存在していると、次の燃料電池の起動時に、アノード電極側の水素の分圧が下がった状態となる。このため、燃料電池の起動時に、アノード電極側の配管系統を閉回路にした状態で、アノード電極側に水素を強制的に供給し、水素圧力が所定値（大気を吸い込まない値）以上に上昇したらパージ弁を開弁して水素置換する方法が提案されている（例えば、特許文献１参照）。
【特許文献１】特開２００７−１２８９０２号公報
【発明の開示】
【発明が解決しようとする課題】
【０００４】
ところで、特許文献１の燃料電池システムの起動時の水素パージ方法では、起動パージ中も水素ガスの供給を行いながらパージ弁を開弁している。そのため、アノード電極側の配管においてエゼクタを設け、アノードオフガスを循環してアノードガスとして再利用可能な構成にしたシステムでは、エゼクタにより空気（滞留ガス）がアノード配管経路内を循環してしまう。このため、アノード配管経路内から空気（滞留ガス）を完全に排出し、配管内部の水素濃度（圧力）を上昇させるには多くの時間を必要としていた。
【０００５】
そこで、本発明は、上記事情を鑑みてなされたものであり、燃料電池の起動時にアノード電極側に滞留しているカソードガスなどを効率的に排出することができる燃料電池システムの起動方法および燃料電池システムを提供するものである。
【課題を解決するための手段】
【０００６】
上記の課題を解決するために、請求項１に記載した発明は、アノードガスおよびカソードガスを供給して発電を行う燃料電池（例えば、実施形態における燃料電池１１）と、前記アノードガスを供給するアノードガス供給手段（例えば、実施形態における水素タンク３０）と、前記アノードガスと前記燃料電池より排出されたアノードオフガスとを混合循環させるエゼクタ（例えば、実施形態におけるエゼクタ２６）が設けられたアノードガス循環経路（例えば、実施形態におけるアノードガス循環経路４０）と、前記アノードガス供給手段と前記アノードガス循環経路との間に設けられた遮断弁（例えば、実施形態における電磁弁２５）と、前記アノードガス循環経路から分岐されたアノードガス流通経路（例えば、実施形態におけるガス排出配管３７）と、前記アノードガス流通経路に設けられたパージ弁（例えば、実施形態におけるパージ弁２８）と、を備えた燃料電池システム（例えば、実施形態における燃料電池システム１０）の起動方法において、前記燃料電池の起動信号を検出する起動信号検出ステップと、前記遮断弁を開弁する遮断弁第一開弁ステップと、前記アノードガス循環経路内の圧力が、前記アノードガス循環経路内に残っている不純ガスを前記アノードガス流通経路に排出可能な圧力になった際に、前記遮断弁を閉弁してアノードガス供給中断制御を行うとともに、前記パージ弁を開弁して前記アノードガス循環経路内のガスを前記アノードガス流通経路に排出するガス排出ステップと、前記パージ弁の開弁状態を所定時間保持した後に、前記パージ弁を閉弁するパージ弁閉弁ステップと、前記パージ弁の閉弁後に前記遮断弁を開弁する遮断弁第二開弁ステップと、前記燃料電池のセル電圧が所定値以上の場合に発電開始を許可する発電許可ステップと、を有することを特徴としている。
【０００８】
請求項２に記載した発明は、前記パージ弁閉弁ステップでは、前記アノードガス循環経路内の圧力が大気圧以下となる前に前記パージ弁を閉弁することを特徴としている。
【０００９】
請求項３に記載した発明は、前記遮断弁第一開弁ステップの前に、前記燃料電池のソーク時間を検出するソーク時間検出ステップを有し、前記ソーク時間が所定時間より短い場合には、前記アノードガス供給中断制御を行わないことを特徴としている。
【００１０】
請求項４に記載した発明は、前記遮断弁第一開弁ステップの前に、前記燃料電池がソーク状態の間に掃気を行ったか否かを検出する掃気経験検出ステップを有し、前記掃気を行った場合には、前記アノードガス供給中断制御を行うことを特徴としている。
【００１１】
請求項５に記載した発明は、前記遮断弁第一開弁ステップの前に、前記燃料電池がソーク状態の間に掃気を行ったか否かを検出する掃気経験検出ステップを有し、前記掃気を行っておらず、かつ、前記ソーク時間が所定時間より短い場合には前記アノードガス供給中断制御を行わないことを特徴としている。
【００１２】
請求項６に記載した発明は、アノードガスおよびカソードガスを供給して発電を行う燃料電池と、前記アノードガスを供給するアノードガス供給手段と、前記アノードガスと前記燃料電池より排出されたアノードオフガスとを混合循環させるエゼクタが設けられたアノードガス循環経路と、前記アノードガス供給手段と前記アノードガス循環経路との間に設けられた遮断弁と、前記アノードガス循環経路から分岐されたアノードガス流通経路に設けられたパージ弁と、前記遮断弁および前記パージ弁の開閉制御を行う制御部（例えば、実施形態における制御装置４５）と、を備えた燃料電池システムにおいて、前記制御部は、前記燃料電池の起動時に、前記遮断弁を開弁し、前記アノードガス循環経路内の圧力が、前記アノードガス循環経路内に残っている不純ガスを前記アノードガス流通経路に排出可能な圧力になった際に、前記遮断弁を閉弁してアノードガス供給中断制御を行うとともに、前記パージ弁を開弁して前記アノードガス循環経路内のガスを前記アノードガス流通経路に排出し、前記パージ弁の開弁状態を所定時間保持した後に、前記パージ弁を閉弁し、前記パージ弁の閉弁後に前記遮断弁を開弁し、前記燃料電池のセル電圧が所定値以上の場合に発電開始を許可するように構成されていることを特徴としている。
【発明の効果】
【００１３】
請求項１に記載した発明によれば、燃料電池の起動パージ中にアノードガス（水素ガス）の供給を遮断することで、エゼクタによる滞留ガス（カソードガス）の循環が回避される。したがって、アノードガス循環経路内の滞留ガスをスムーズにパージ弁を介して外部へ排出させることができる。結果として、短時間でアノードガス循環経路内の滞留ガスをアノードガスへ置換することができるとともに、燃料電池が起動した直後から安定した発電を行うことができる効果がある。また、燃料電池の起動直後のアノードガス循環経路内の水素濃度が高い分、スタックＩＶが向上し、燃費を向上させることができる効果がある。
【００１４】
また、パージ弁を開弁すると大気との圧力差のみでアノードガス循環経路内の滞留ガスのパージを行うことができるため、滞留ガスを排出させるための特別な装置を必要とせず、簡易な構成で確実にアノードガスへ置換することができる効果がある。
【００１５】
請求項２に記載した発明によれば、パージ弁を開弁中に大気側からアノードガス循環経路内へ空気が逆流して流入するのを防止することができる効果がある。
【００１６】
請求項３に記載した発明によれば、ソーク時間が所定時間以下の場合には、アノードガス循環経路内の水素濃度は高いまま保持されているため、アノードガス供給中断制御を実行しなくても短時間で燃料電池を起動させることができる。したがって、必要の無い動作を省略することで、効率よく燃料電池を起動させることができる効果がある。
【００１７】
請求項４に記載した発明によれば、燃料電池がソーク状態であった間に掃気を行っているとアノードガス循環経路内は掃気ガス（空気）で置換されているため、アノードガス循環経路内の水素濃度は低下（略０％）した状態となっている。したがって、アノードガス供給中断制御を実行することにより、掃気を行った場合でも短時間で発電を開始することができる効果がある。
【００１８】
請求項５に記載した発明によれば、燃料電池がソーク状態であった間に掃気を行っておらず、かつ、ソーク時間が所定時間より短ければアノードガス循環経路内の水素濃度は高いまま保持されているため、アノードガス供給中断制御を実行しなくても短時間で燃料電池を起動させることができる。
【００１９】
請求項６に記載した発明によれば、燃料電池の起動パージ中にアノードガス供給手段からのアノードガス（水素ガス）の供給を遮断弁を閉じて遮断することにより、エゼクタによる滞留ガス（カソードガス）の循環が回避される。したがって、アノードガス循環経路内の滞留ガスをスムーズにパージ弁を介して外部へ排出させることができる。結果として、短時間でアノードガス循環経路内の滞留ガスをアノードガスへ置換することができるとともに、燃料電池が起動した直後から安定した発電を行うことができる効果がある。また、燃料電池の起動直後のアノードガス循環経路内の水素濃度が高い分、スタックＩＶが向上し、燃費を向上させることができる効果がある。
また、パージ弁を開弁すると大気との圧力差のみでアノードガス循環経路内の滞留ガスのパージを行うことができるため、滞留ガスを排出させるための特別な装置を必要とせず、簡易な構成で確実にアノードガスへ置換することができる効果がある。
【発明を実施するための最良の形態】
【００２０】
次に、本発明の実施形態を図１〜図７に基づいて説明する。なお、本実施形態では燃料電池システムを車両に搭載した場合の説明をする。
（燃料電池システム）
図１は燃料電池システムの概略構成図である。
図１に示すように、燃料電池システム１０の燃料電池１１は、水素ガスなどの燃料ガス（アノードガス）と空気などの酸化剤ガス（カソードガス）との電気化学反応により発電を行う固体高分子膜型燃料電池である。燃料電池１１に形成された燃料ガス供給用連通孔１３（燃料ガス流路２１の入口側）には燃料ガス供給配管２３が連結され、その上流端部には水素タンク３０が接続されている。また、燃料電池１１に形成された酸化剤ガス供給用連通孔１５（酸化剤ガス流路２２の入口側）には酸化剤ガス供給配管２４が連結され、その上流端部にはエアコンプレッサ３３が接続されている。なお、燃料電池１１に形成されたアノードオフガス排出用連通孔１４（燃料ガス流路２１の出口側）にはアノードオフガス排出配管３５が連結され、カソードオフガス排出用連通孔１６（酸化剤ガス流路２２の出口側）にはカソードオフガス排出配管３６が連結されている。なお、燃料電池１１には出力電圧を検出する電圧計５５が取り付けられている。
【００２１】
水素タンク３０から燃料ガス供給配管２３に供給された水素ガスは、レギュレータ（不図示）により減圧された後、エゼクタ２６を通り、燃料電池１１の燃料ガス流路２１に供給される。また、水素タンク３０の下流側近傍には、電磁駆動式の電磁弁２５が設けられており、水素タンク３０からの水素ガスの供給を遮断することができるように構成されている。なお、燃料ガス供給配管２３には圧力計４１が設けられており、燃料ガス供給配管２３内の圧力を検出できるようになっている。
【００２２】
また、アノードオフガス排出配管３５は途中で分岐しており、一方はガス排出配管３７となり、希釈ボックス３１に接続され、その後、車外へと排気されるようになっており、他方はアノードオフガスリタン配管３８となり、エゼクタ２６に接続され、燃料電池１１を通過してきたアノードオフガスを再度燃料電池１１のアノードガスとして再利用できるように構成されている。ここで、エゼクタ２６は配管内にガスなどが流れることで生じる負圧を利用して別の系統の配管内のガスなどを引き込むように構成されたものである。なお、ガス排出配管３７には電磁駆動式のパージ弁２８が設けられている。また、燃料ガス供給配管２３、燃料ガス流路２１、アノードオフガス排出配管３５およびアノードオフガスリタン配管３８で構成されるループ配管経路をアノードガス循環経路４０（エゼクタ２６も含む）と呼ぶ。
【００２３】
一方、空気はエアコンプレッサ３３によって加圧され、酸化剤ガス供給配管２４を通過した後、燃料電池１１の酸化剤ガス流路２２に供給される。この空気中の酸素が酸化剤として発電に供された後、燃料電池１１からカソードオフガスとしてカソードオフガス排出配管３６に排出される。カソードオフガス排出配管３６は水素希釈システム３１に接続され、その後、車外へと排気される。なお、カソードオフガス排出配管３６には背圧弁３４が設けられている。
【００２４】
また、エアコンプレッサ３３の下流側の酸化剤ガス供給配管２４において、配管が分岐され掃気ガス導入配管５１の一端が接続されている。掃気ガス導入配管５１は、燃料ガス供給配管２３におけるイジェクタ２６と燃料電池１１との間に他端が接続されている。つまり、空気を燃料電池１１の燃料ガス流路２１に供給できるようになっている。なお、掃気ガス導入配管５１には電磁駆動式の電磁弁５２が設けられており、エアコンプレッサ３３からの空気の供給を遮断できるように構成されている。
【００２５】
ここで、燃料電池１１には、制御装置（ＥＣＵ）４５が設けられている。制御装置４５では、例えば圧力計４１からの検出結果（センサ出力）が伝達され、その検出結果に基づいて、燃料電池システム１０の遮断弁２５およびパージ弁２８の開閉制御を行い、アノードガス循環経路４０内のパージを実行できるように構成されている。
【００２６】
図２は制御装置４５の概略ブロック図である。図２に示すように、制御装置４５は、燃料電池システム１０のアノードガス循環経路４０内の水素ガスの圧力と予め設定されている第一所定圧力値および第二所定圧力値とを比較するアノードガス循環経路圧力判定部６１と、パージ弁２８を開弁してから所定時間経過したか否かを判定するパージ弁状態検出部６２と、燃料電池システム１０がソーク状態（システムが停止している状態）にあるか否かを検出するソーク状態検出部６３と、燃料電池システム１０の停止時にその内部を掃気したか否かを検出する掃気経験検出部６４と、燃料電池１１の出力電圧とモータなどの電力消費デバイス５０への供給を開始可能な発電許可閾値電圧とを比較する燃料電池電圧判定部６５と、を有している。
【００２７】
なお、第一所定圧力値はアノードガス循環経路４０内に残っているガス（空気含）を確実に車外へ排出することができる圧力値であり、第二所定圧力値はパージ弁２８を開弁してアノードガス循環経路４０内のガス（空気含）を車外に排出している最中に、外部の空気がアノードガス循環経路４０内に逆流するのを確実に防止することができる圧力値である。
【００２８】
また、制御装置（ＥＣＵ）４５は、燃料電池１１に要求される出力に応じて、電磁弁２５を制御して水素タンク３０から所定量の水素ガスを燃料電池１１に供給するとともに、パージ弁２８を制御して、アノードオフガスの排出量を調整できるように構成されている。さらに、制御装置４５は、燃料電池１１に要求される出力に応じて、エアコンプレッサ３３を駆動して所定量の空気を燃料電池１１に供給するとともに、背圧弁３４を制御して酸化剤ガス流路２２への空気の供給圧力を調整できるように構成されている。
【００２９】
また、燃料電池システム１０は、停止時に燃料電池１１の内部を掃気する掃気手段を有している。掃気手段により燃料電池１１内に発生した滞留ガス（窒素ガス）を排出してアノードガス循環経路４０内を空気で置換することができるようになっている。なお、掃気手段が実行されるか否かは、例えばソーク時間により決定するようにすればよい。
【００３０】
そして、燃料電池１１で発電された電力（電流）はモータなどの電力消費デバイス５０へ供給されるように構成されている。
【００３１】
（燃料電池システムの起動方法（その１））
次に、燃料電池システム１０の起動方法について説明する。
図３は燃料電池システム１０の起動方法のフローチャートである。
図３に示すように、Ｓ１では、制御装置４５が燃料電池システム１０の起動信号であるイグニッションスイッチ（不図示）からのオン信号を検出する（起動信号検出ステップ）と、電磁弁２５を開放させて水素タンク３０に貯蔵されている水素ガスを、燃料ガス供給配管２３を介して燃料電池１１の燃料ガス流路２１に供給する（遮断弁第一開弁ステップ）。
【００３２】
Ｓ２では、アノードガス循環経路４０に設けた圧力計４１により配管内の圧力を検出し、アノードガス循環経路圧力判定部６１において、その圧力（水素圧力）と所定の圧力（第一所定圧力）とを比較する。そして、水素圧力が第一所定圧力以下の場合にはこの工程（Ｓ２）を繰り返し、水素圧力が第一所定圧力より大きくなればＳ３へ進む。
【００３３】
Ｓ３では、アノードガス循環経路４０内に残っている滞留ガス（空気含）を車外へ確実に排出できる圧力になったと判断し、電磁弁２５を閉弁するとともにパージ弁２８を開弁して（ガス排出ステップ）、Ｓ４へ進む。
【００３４】
Ｓ４では、パージ弁状態検出部６２において、パージ弁２８を開弁してから予め設定されている所定時間を経過したか否かを判定し、所定時間経過前であればＳ５へ進み、所定時間経過したと判断したらＳ６へ進む。なお、この所定時間とはパージ弁２８を開弁した後、アノードガス循環経路４０内の滞留ガスを車外に排出するのに通常必要とする時間である。
【００３５】
Ｓ５では、パージ弁２８を開弁した後で所定時間経過前におけるアノードガス循環経路４０内の圧力を圧力計４１により検出し、アノードガス循環経路圧力判定部６１において、その圧力（水素圧力）と第二所定圧力とを比較する。そして、水素圧力が第二所定圧力以下の場合にはＳ４へ戻り、水素圧力が第二所定圧力より大きくなれば、パージ弁２８を開弁した後所定時間経過前であっても、Ｓ６へすすむ。このようにすることで、外部の空気がアノードガス循環経路４０内に逆流して流入するのを防止できる。つまり、第二所定圧力は大気圧より若干高めの圧力値に設定しておけばよい。
【００３６】
Ｓ６では、アノードガス循環経路４０内の滞留ガスが全て車外へ排出されたと判断して、パージ弁２８を閉弁する（パージ弁閉弁ステップ）とともに、電磁弁２５を再び開弁してアノードガス循環経路４０に水素ガスを供給開始して（遮断弁第二開弁ステップ）、Ｓ７へ進む。ここで、パージ弁２８を開弁してアノードガス循環経路４０内の滞留ガスを車外へ排出中に、電磁弁２５を閉弁して水素ガスの供給を遮断しているため、エゼクタ２６が機能せず、アノードガス循環経路４０内のガスは確実にガス排出配管３７から希釈ボックス３１に導かれ、その後車外へと排気される。
【００３７】
Ｓ７では、アノードガス循環経路４０内が水素ガスに置換されたと判断し、燃料ガス流路２１には水素ガスを、酸化剤ガス流路２２には空気を供給開始して燃料電池１１の発電を開始する。そして、燃料電池１１のセル電圧値を電圧計５５で検出し、そのセル電圧値が電力負荷デバイス５０への発電を許可できる電圧値（閾値電圧値）になっているか否かを燃料電池電圧判定部６５において判定する。そして、燃料電池１１のセル電圧値が閾値電圧値より小さい場合にはこの工程（Ｓ７）を繰り返し、閾値電圧値以上になった場合にはＳ８へ進む。
【００３８】
Ｓ８では、燃料電池１１のセル電圧値が、電力負荷デバイス５０へ電力を供給してもよい電圧値になったと判断し、発電を開始して（発電許可ステップ）処理を終了する。
【００３９】
図４は、アノードガス循環経路４０内の水素圧力、水素濃度、および電磁弁２５とパージ弁２８の関係を示すタイムチャートである。図４に示すように、アノードガス循環経路４０内の水素濃度は、燃料電池システム１０が起動すると徐々に高くなるが、その過程で電磁弁２５を一旦閉弁し、パージ弁２８のみを開弁するステップを入れてアノードガス循環経路４０内の滞留ガスを一気に車外へと排出することにより、アノードガス循環経路４０内の水素濃度を早期に高めることができる。したがって、燃料電池１１の発電開始許可を短時間（時間ｔ１）にすることができる。
【００４０】
一方、図５は、従来方式の場合のタイムチャートである。図５に示すように、アノードガス循環経路４０内の水素濃度は、燃料電池システム１０が起動すると徐々に高くなるが、その過程で電磁弁２５およびパージ弁２８をともに開弁してパージを行っているため、アノードガス循環経路４０内の滞留ガスがエゼクタ２６を介して循環してしまう。そのため、アノードガス循環経路４０内の水素濃度の上昇率が悪くなり、水素濃度が略１００％になるまでの時間が本実施形態よりも長くなる。したがって、燃料電池１１の発電開始許可が長時間（時間ｔ２）となってしまうのである。
【００４１】
（燃料電池システムの起動方法（その２））
次に、燃料電池システム１０の起動方法についての別の態様を説明する。なお、上述した燃料電池システムの起動方法（その１）と同じ構成の部分は同じステップ番号を付して説明を省略する。
図６は燃料電池システム１０の起動方法のフローチャートである。
図６に示すように、Ｓ２１では、制御装置４５が燃料電池システム１０の起動信号であるイグニッションスイッチ（不図示）からのオン信号を検出したときに、ソーク状態検出部６３において、燃料電池システム１０が停止してから起動するまでのソーク時間を検出し（ソーク時間検出ステップ）、Ｓ２２へ進む。
【００４２】
Ｓ２２では、Ｓ２１で検出したソーク時間と予め設定されている所定時間（第一所定時間）とを比較する。そして、ソーク時間が第一所定時間より長かった場合には、Ｓ１へ進み、上述した燃料電池システムの起動方法（その１）と同じフローチャートに沿ってアノードガス循環経路４０内のパージを行う。一方、ソーク時間が第一所定時間以下であった場合にはＳ２３へ進む。なお、第一所定時間としては例えば１時間程度で設定する。
【００４３】
Ｓ２３では、ソーク時間が短いため、アノードガス循環経路４０内の滞留ガス量は少なく、水素ガスがまだ多量に残っていると判断し、電磁弁２５を開弁するとともに、パージ弁２８を開弁して、Ｓ２４へ進む。
【００４４】
Ｓ２４では、パージ弁状態検出部６２において、パージ弁２８を開弁してから予め設定されている所定時間（第二所定時間）を経過したか否かを判定し、第二所定時間経過前であればＳ２４を繰り返し、第二所定時間経過したと判断したらＳ２５へ進む。なお、この所定時間とはパージ弁２８を開弁した後、アノードガス循環経路４０内の滞留ガスを車外に排出するのに通常必要とする時間である。
【００４５】
Ｓ２５では、アノードガス循環経路４０内の滞留ガスは車外へ排出されたと判断し、パージ弁２８を閉弁して、Ｓ７へ進む。
【００４６】
Ｓ７以降は、上述した燃料電池システムの起動方法（その１）と同じフローチャートに沿って発電許可を行い、処理を終了する。
【００４７】
このように構成することで、ソーク時間が短い場合のパージ処理の工程を簡素化することにより起動時間を短縮することができるとともに、燃費の向上を図ることができる。一方、ソーク時間が長い場合には、アノードガス循環経路４０内は滞留ガスが多量に蓄積されているため、上述したＳ１〜Ｓ８の処理を実行して、パージを確実、かつ、短時間で実行することができるようになっている。
【００４８】
（燃料電池システムの起動方法（その３））
次に、燃料電池システム１０の起動方法についてのさらに別の態様を説明する。なお、上述した燃料電池システムの起動方法（その１）と同じ構成の部分は同じステップ番号を付して説明を省略する。
図７は燃料電池システム１０の起動方法のフローチャートである。
図７に示すように、Ｓ３１では、制御装置４５が燃料電池システム１０の起動信号であるイグニッションスイッチ（不図示）からのオン信号を検出したときに、掃気経験検出部６４において、燃料電池システム１０が停止してから起動するまでの間に掃気を実行したか否かを検出し（掃気経験検出ステップ）、Ｓ３２へ進む。なお、アノードガス循環経路４０内の掃気とは、電磁弁５２を開弁するとともにエアコンプレッサ３３を起動して、空気を掃気ガス導入配管５１よりアノードガス循環経路４０内へと導入し、アノードガス循環経路４０内を空気で置換することをいう。
【００４９】
Ｓ３２では、Ｓ３１で検出した掃気経験の有無を判定する。そして、掃気経験が有る場合には、Ｓ１へ進み、上述した燃料電池システムの起動方法（その１）と同じフローチャートに沿ってアノードガス循環経路４０内のパージを行う。一方、掃気経験が無かった場合にはＳ２１へ進む。
【００５０】
Ｓ２１では、ソーク状態検出部６３において、燃料電池システム１０が停止してから起動するまでのソーク時間を検出し（ソーク時間検出ステップ）、Ｓ２２へ進む。
【００５１】
Ｓ２２では、Ｓ２１で検出したソーク時間と予め設定されている所定時間（第一所定時間）とを比較する。そして、ソーク時間が第一所定時間より長かった場合には、Ｓ１へ進み、ソーク時間が第一所定時間以下であった場合にはＳ３３へ進む。
【００５２】
Ｓ３３では、掃気経験が無かったため、アノードガス循環経路４０内の滞留ガス量は少なく、水素ガスがまだ多量に残っていると判断し、電磁弁２５を開弁するとともに、パージ弁２８を開弁して、Ｓ３４へ進む。
【００５３】
Ｓ３４では、パージ弁状態検出部６２において、パージ弁２８を開弁してから予め設定されている所定時間（第三所定時間）を経過したか否かを判定し、第三所定時間経過前であればＳ３４を繰り返し、第三所定時間経過したと判断したらＳ３５へ進む。なお、この所定時間とはパージ弁２８を開弁した後、アノードガス循環経路４０内の滞留ガスを車外に排出するのに通常必要とする時間である。
【００５４】
Ｓ３５では、アノードガス循環経路４０内の滞留ガスは車外へ排出されたと判断し、パージ弁２８を閉弁して、Ｓ７へ進む。
【００５５】
Ｓ７以降は、上述した燃料電池システムの起動方法（その１）と同じフローチャートに沿って発電許可を行い、処理を終了する。
【００５６】
このように構成することで、掃気経験が無い場合のパージ処理の工程を簡素化することにより起動時間を短縮することができるとともに、燃費の向上を図ることができる。一方、掃気経験が有った場合には、アノードガス循環経路４０内は空気に置換されているため、上述したＳ１〜Ｓ８の処理を実行して、パージを確実、かつ、短時間で実行することができるようになっている。また、掃気経験が無い場合でも、ソーク時間が第一所定時間より長い場合にはアノードガス循環経路４０内の水素濃度は低下しているため、アノードガス供給中断制御を行うようにすることで、パージを短時間で実行することができる。
【００５７】
本実施形態によれば、燃料電池１１の起動パージ中にアノードガス（水素ガス）の供給を電磁弁２５を閉弁して遮断することで、エゼクタ２６による滞留ガス（カソードガス）の循環が回避される。したがって、アノードガス循環経路４０内の滞留ガスをスムーズにパージ弁２８を介して外部へ排出させることができる。結果として、短時間でアノードガス循環経路４０内の滞留ガスをアノードガスへ置換することができるとともに、燃料電池１１が起動した直後から安定した発電を行うことができる。また、燃料電池１１の起動直後のアノードガス循環経路４０内の水素濃度が高い分、スタックＩＶが向上し、燃費を向上させることができる。
【００５８】
また、アノード循環経路４０内の圧力が第一所定圧力より大きくなった場合にパージを開始することにより、パージ弁２８を開弁したときに大気との圧力差のみでアノードガス循環経路４０内の滞留ガスのパージを行うことができる。したがって、滞留ガスを排出させるための特別な装置を必要とせず、簡易な構成で確実にアノードガスへ置換することができる。
【００５９】
また、アノード循環経路４０内の圧力が第二所定圧力より小さくなった場合にパージ弁２８を閉弁させることにより、パージ弁２８を開弁中に大気側からアノードガス循環経路４０内へ空気が逆流して流入するのを防止することができる。
【００６０】
さらに、ソーク時間が第一所定時間以下の場合には、アノードガス循環経路４０内の水素濃度は高いまま保持されていると判断可能であるため、アノードガス供給中断制御を実行しなくても短時間で燃料電池１１を起動させることができる。したがって、必要の無い動作を省略することで、効率よく燃料電池１１を起動させることができる。逆に、ソーク時間が第一所定時間より長い場合には、アノードガス供給中断制御を確実に実行することにより、ソーク時間が長い場合でも短時間で発電を開始することができる。
【００６１】
そして、燃料電池１１がソーク状態であった間に掃気を行っているとアノードガス循環経路４０内は掃気ガス（空気）で置換されているため、アノードガス循環経路４０内の水素濃度は低下（略０％）した状態となっている。したがって、アノードガス供給中断制御を確実に実行することにより、掃気を行った場合でも短時間で発電を開始することができる。
【００６２】
尚、本発明の技術範囲は上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
例えば、本実施形態において、ソーク時間のみを検出する場合、並びに、掃気経験およびソーク時間を検出する場合のシステムについて説明したが、掃気経験のみを検出する方法を採用してもよい。
【図面の簡単な説明】
【００６３】
【図１】本発明の実施形態における燃料電池システムの概略構成図である。
【図２】本発明の実施形態における制御部の概略ブロック図である。
【図３】本発明の実施形態における燃料電池システムの起動方法（その１）を示すフローチャートである。
【図４】本発明の実施形態におけるアノードガス循環経路の水素濃度、水素圧力、および電磁弁とパージ弁の関係を示すタイムチャートである。
【図５】従来のアノードガス循環経路の水素濃度、水素圧力、および電磁弁とパージ弁の関係を示すタイムチャートである。
【図６】本発明の実施形態における燃料電池システムの起動方法（その２）を示すフローチャートである。
【図７】本発明の実施形態における燃料電池システムの起動方法（その３）を示すフローチャートである。
【符号の説明】
【００６４】
１０…燃料電池システム  １１…燃料電池  ２５…電磁弁（遮断弁）  ２６…エゼクタ  ２８…パージ弁  ３０…水素タンク（アノードガス供給手段）  ３７…ガス排出配管（アノードガス流通経路）  ４０…アノードガス循環経路  ４５…制御装置（制御部）
【図１】
0005250294.tif 000002
【図２】
0005250294.tif 000003
【図３】
0005250294.tif 000004
【図４】
0005250294.tif 000005
【図５】
0005250294.tif 000006
【図６】
0005250294.tif 000007
【図７】
0005250294.tif 000008